(57)【要約】【課題】ユーザ毎に異なる有用な情報を含むデータ放送コンテンツを提供すること。【解決手段】地上波デジタル放送の１セグメント放送に含まれるデータ放送コンテンツの一部を通信ネットワーク５０経由で提供するコンテンツ提供システムであって、放送装置１０から、通信ネットワーク５０経由でデータ放送コンテンツの一部を携帯端末２０で自動的に取得させるための制御情報を含むＢＭＬデータを送出し、上記制御情報で指定されるアクセス先情報を用いて携帯端末２０からデータ放送コンテンツの一部の取得をサーバ３０に要求し、予め登録された携帯端末２０のユーザの属性情報に基づいてデータ放送コンテンツの一部をサーバ３０から携帯端末２０に配信する。【選択図】図１
2009200961.tif 000002
【特許請求の範囲】
【請求項１】
地上波デジタル放送の１セグメント放送に含まれるデータ放送コンテンツの一部を通信ネットワーク経由で提供するコンテンツ提供システムであって、
前記通信ネットワーク経由で前記データ放送コンテンツの一部を自動的に取得させるための制御情報を含むＢＭＬデータを送出する放送装置と、前記制御情報で指定されるアクセス先情報を用いて前記データ放送コンテンツの一部の取得を要求する端末装置と、予め前記端末装置のユーザの属性情報を登録し、当該属性情報に基づいて前記データ放送コンテンツの一部を配信するサーバ装置とを具備することを特徴とするコンテンツ提供システム。
【請求項２】
前記サーバ装置は、前記データ放送コンテンツの一部の取得要求時に前記端末装置から送信されるユーザ識別情報に応じて当該ユーザの属性情報を特定し、当該属性情報から当該ユーザの属性を判定し、配信する前記データ放送コンテンツの一部を決定することを特徴とする請求項１記載のコンテンツ提供システム。
【請求項３】
前記サーバ装置は、前記属性情報として、前記端末装置のユーザの性別、年齢及び住所の少なくとも１つを含む個人情報を登録することを特徴とする請求項１又は請求項２記載のコンテンツ提供システム。
【請求項４】
前記サーバ装置は、前記属性情報として、前記端末装置のユーザのＷｅｂサイトに対するアクセス履歴情報を登録することを特徴とする請求項１から請求項３のいずれかに記載のコンテンツ提供システム。
【請求項５】
前記端末装置は、前記ＢＭＬデータ内に前記制御情報を検出した場合に前記データ放送コンテンツの一部の取得を前記サーバ装置に要求する一方、当該サーバ装置から配信された前記データ放送コンテンツの一部を含むデータ放送コンテンツを表示することを特徴とする請求項１から請求項４のいずれかに記載のコンテンツ提供システム。
【請求項６】
地上波デジタル放送の１セグメント放送に含まれるデータ放送コンテンツの一部を通信ネットワーク経由で端末装置に提供するサーバ装置であって、
予め前記端末装置のユーザの属性情報を登録する登録部と、前記属性情報に基づいて前記端末装置のユーザの属性を判定する判定部と、前記判定部の判定結果に基づいて前記データ放送コンテンツの一部を前記端末装置に配信するサーバ部とを具備することを特徴とするサーバ装置。
【請求項７】
前記判定部は、前記端末装置から送信されるユーザ識別情報に応じて当該ユーザの属性情報を特定し、当該属性情報から当該ユーザの属性を判定することを特徴とする請求項６記載のサーバ装置。
【請求項８】
前記登録部は、前記属性情報として、前記端末装置のユーザの性別、年齢及び住所の少なくとも１つを含む個人情報を登録することを特徴とする請求項６又は請求項７記載のサーバ装置。
【請求項９】
前記登録部は、前記属性情報として、前記端末装置のユーザのＷｅｂサイトに対するアクセス履歴情報を登録することを特徴とする請求項６から請求項８のいずれかに記載のサーバ装置。
【請求項１０】
地上波デジタル放送の１セグメント放送に含まれるデータ放送コンテンツの一部を通信ネットワーク経由で取得する端末装置であって、
前記通信ネットワーク経由で前記データ放送コンテンツの一部を自動的に取得させるための制御情報を含むＢＭＬデータを受信する受信部と、前記制御情報で指定されるアクセス先情報を用いて前記データ放送コンテンツの一部の取得を要求するコンテンツ取得部と、取得した前記データ放送コンテンツの一部を含むデータ放送コンテンツを表示する表示部とを具備することを特徴とする端末装置。
【請求項１１】
前記コンテンツ取得部は、前記ＢＭＬデータ内に前記制御情報を検出した場合に前記データ放送コンテンツの一部の取得を要求することを特徴とする請求項１０記載の端末装置。
【請求項１２】
地上波デジタル放送の１セグメント放送に含まれるデータ放送コンテンツの一部を通信ネットワーク経由で提供するコンテンツ提供方法であって、
前記通信ネットワーク経由で前記データ放送コンテンツの一部を端末装置で自動的に取得させるための制御情報を含むＢＭＬデータを放送装置から送出するステップと、前記制御情報で指定されるアクセス先情報を用いて前記端末装置から前記データ放送コンテンツの一部の取得をサーバ装置に要求するステップと、前記サーバ装置で予め登録された前記端末装置のユーザの属性情報に基づいて前記データ放送コンテンツの一部を前記端末装置に配信するステップとを具備することを特徴とするコンテンツ提供方法。
【請求項１３】
前記データ放送コンテンツの一部の取得要求時に前記端末装置から送信されるユーザ識別情報に応じて当該ユーザの属性情報を特定し、当該属性情報から当該ユーザの属性を判定し、配信する前記データ放送コンテンツの一部を決定することを特徴とする請求項１２記載のコンテンツ提供方法。
【請求項１４】
前記属性情報として、前記端末装置のユーザの性別、年齢及び住所の少なくとも１つを含む個人情報を登録することを特徴とする請求項１２又は請求項１３記載のコンテンツ提供方法。
【請求項１５】
前記属性情報として、前記端末装置のユーザのＷｅｂサイトに対するアクセス履歴情報を登録することを特徴とする請求項１２から請求項１４のいずれかに記載のコンテンツ提供方法。
【請求項１６】
前記ＢＭＬデータ内に前記制御情報を検出した場合に前記端末装置から前記データ放送コンテンツの一部の取得を前記サーバ装置に要求する一方、当該サーバ装置から配信された前記データ放送コンテンツの一部を含むデータ放送コンテンツを表示することを特徴とする請求項１２から請求項１５のいずれかに記載のコンテンツ提供方法。
【発明の詳細な説明】
【技術分野】
【０００１】
本発明は、コンテンツ提供システム、サーバ装置、端末装置及びコンテンツ提供方法に関し、特に、地上波デジタル放送の１セグメント放送に含まれるデータ放送コンテンツを提供するコンテンツ提供システム、サーバ装置及びコンテンツ提供方法、並びに、地上波デジタル放送の１セグメント放送に含まれるデータ放送コンテンツの提供を受ける端末装置に関する。
【背景技術】
【０００２】
近年、地上デジタル放送のモバイル機器向け放送、所謂、１セグメント放送を受信する機能（以下、「１セグメント放送受信機能」という）を有する携帯端末装置が普及しつつある。このような携帯端末装置において、１セグメント放送を受信した場合には、映像コンテンツと共にデータ放送コンテンツを同時に表示することが可能である。このため、携帯端末装置のユーザは、例えば、放送番組に関する情報をデータ放送コンテンツで確認しながら、当該放送番組の映像コンテンツを視聴することができる。
【０００３】
このような１セグメント放送におけるデータ放送コンテンツにおいて、多数のユーザが望む即時性、速報性の高い情報を提供することを目的とした情報提供システムが提案されている（例えば、特許文献１参照）。この情報提供システムにおいては、通信ネットワークを介して複数の情報元から情報を収集し、この収集された情報に基づいて通信コンテンツを生成し、通信コンテンツへアクセスするためのリンク情報を含む放送コンテンツを生成し、通信コンテンツと放送コンテンツとを含む複数の放送コンテンツを放送波で送信するものである。
【特許文献１】特開２００７−３６９０１号公報
【発明の開示】
【発明が解決しようとする課題】
【０００４】
しかしながら、従来の１セグメント放送におけるデータ放送コンテンツにおいては、携帯端末装置のユーザからの取得要求が指示されない限り、全てのユーザに同一のデータ放送コンテンツしか提供することができない。一方、携帯端末装置のユーザ毎に異なるデータ放送コンテンツを提供することができれば、各ユーザの趣味・嗜好に対応した有用な情報を提供することが可能となる。
【０００５】
本発明はかかる実情に鑑みてなされたものであり、ユーザ毎に異なる有用な情報を含むデータ放送コンテンツを提供することができるコンテンツ提供システム、サーバ装置、端末装置及びコンテンツ提供方法を提供することを目的とする。
【課題を解決するための手段】
【０００６】
本発明のコンテンツ提供システムは、地上波デジタル放送の１セグメント放送に含まれるデータ放送コンテンツの一部を通信ネットワーク経由で提供するコンテンツ提供システムであって、前記通信ネットワーク経由で前記データ放送コンテンツの一部を自動的に取得させるための制御情報を含むＢＭＬデータを送出する放送装置と、前記制御情報で指定されるアクセス先情報を用いて前記データ放送コンテンツの一部の取得を要求する端末装置と、予め前記端末装置のユーザの属性情報を登録し、当該属性情報に基づいて前記データ放送コンテンツの一部を配信するサーバ装置とを具備することを特徴とする。
【０００７】
上記構成によれば、放送装置から送出されたＢＭＬデータに含まれる制御情報に基づいて端末装置からデータ放送コンテンツの一部の取得を要求し、サーバ装置から端末装置のユーザの属性情報に基づくデータ放送コンテンツの一部が配信されることから、端末装置でユーザの属性情報に基づくデータ放送コンテンツを一部に含むデータ放送コンテンツを表示することができるので、ユーザ毎に異なる有用な情報を含むデータ放送コンテンツを提供することが可能となる。
【０００８】
上記コンテンツ提供システムにおいて、前記サーバ装置は、前記データ放送コンテンツの一部の取得要求時に前記端末装置から送信されるユーザ識別情報に応じて当該ユーザの属性情報を特定し、当該属性情報から当該ユーザの属性を判定し、配信する前記データ放送コンテンツの一部を決定することが好ましい。この場合には、端末装置から送信されるユーザ識別情報に応じて当該ユーザの属性情報が特定されるので、簡単且つ確実に当該ユーザの属性を判定することができ、ユーザにとって有用な情報を含むデータ放送コンテンツを決定することが可能となる。
【０００９】
例えば、上記コンテンツ提供システムにおいて、前記サーバ装置は、前記属性情報として、前記端末装置のユーザの性別、年齢及び住所の少なくとも１つを含む個人情報を登録する。この場合には、端末装置のユーザに関する個人情報に基づいてユーザの性別や年齢等を反映した、ユーザにとって有用な情報を含むデータ放送コンテンツを配信することが可能となる。
【００１０】
上記コンテンツ提供システムにおいて、前記サーバ装置は、前記属性情報として、前記端末装置のユーザのＷｅｂサイトに対するアクセス履歴情報を登録するようにしても良い。この場合には、端末装置のユーザのＷｅｂサイトに対するアクセス履歴情報に基づいてユーザの趣味や嗜好等を反映した、ユーザにとって有用な情報を含むデータ放送コンテンツを配信することが可能となる。
【００１１】
また、上記コンテンツ提供システムにおいて、前記端末装置は、前記ＢＭＬデータ内に前記制御情報を検出した場合に前記データ放送コンテンツの一部の取得を前記サーバ装置に要求する一方、当該サーバ装置から配信された前記データ放送コンテンツの一部を含むデータ放送コンテンツを表示することが好ましい。この場合には、ＢＭＬデータ内に制御情報が検出された場合に限ってサーバ装置から配信されたデータ放送コンテンツの一部を含むデータ放送コンテンツを表示することができるので、放送装置からのＢＭＬデータの内容に応じてデータ放送コンテンツの表示を切り替えることが可能となる。
【００１２】
本発明のサーバ装置は、地上波デジタル放送の１セグメント放送に含まれるデータ放送コンテンツの一部を通信ネットワーク経由で端末装置に提供するサーバ装置であって、予め前記端末装置のユーザの属性情報を登録する登録部と、前記属性情報に基づいて前記端末装置のユーザの属性を判定する判定部と、前記判定部の判定結果に基づいて前記データ放送コンテンツの一部を前記端末装置に配信するサーバ部とを具備することを特徴とする。
【００１３】
上記構成によれば、端末装置からの要求に応じて、予め登録した端末装置のユーザの属性情報から当該ユーザの属性が判定され、当該判定結果に基づくデータ放送コンテンツの一部が配信されることから、端末装置でユーザの属性情報に基づくデータ放送コンテンツを含むデータ放送コンテンツを表示することができるので、ユーザ毎に異なる有用な情報を含むデータ放送コンテンツを提供することが可能となる。
【００１４】
上記サーバ装置において、前記判定部は、前記端末装置から送信されるユーザ識別情報に応じて当該ユーザの属性情報を特定し、当該属性情報から当該ユーザの属性を判定することが好ましい。この場合には、端末装置から送信されるユーザ識別情報に応じて当該ユーザの属性情報が特定されるので、簡単且つ確実に当該ユーザの属性を判定することができ、ユーザにとって有用な情報を含むデータ放送コンテンツを決定することが可能となる。
【００１５】
例えば、上記サーバ装置において、前記登録部は、前記属性情報として、前記端末装置のユーザの性別、年齢及び住所の少なくとも１つを含む個人情報を登録する。端末装置のユーザに関する個人情報に基づいてユーザの性別や年齢等を反映した、ユーザにとって有用な情報を含むデータ放送コンテンツを配信することが可能となる。
【００１６】
上記サーバ装置において、前記登録部は、前記属性情報として、前記端末装置のユーザのＷｅｂサイトに対するアクセス履歴情報を登録するようにしても良い。この場合には、端末装置のユーザのＷｅｂサイトに対するアクセス履歴情報に基づいてユーザの趣味や嗜好等を反映した、ユーザにとって有用な情報を含むデータ放送コンテンツを配信することが可能となる。
【００１７】
本発明の端末装置は、地上波デジタル放送の１セグメント放送に含まれるデータ放送コンテンツの一部を通信ネットワーク経由で取得する端末装置であって、前記通信ネットワーク経由で前記データ放送コンテンツの一部を自動的に取得させるための制御情報を含むＢＭＬデータを受信する受信部と、前記制御情報で指定されるアクセス先情報を用いて前記データ放送コンテンツの一部の取得を要求するコンテンツ取得部と、取得した前記データ放送コンテンツの一部を含むデータ放送コンテンツを表示する表示部とを具備することを特徴とする。
【００１８】
上記構成によれば、受信したＢＭＬデータ内の制御情報で指定されるアクセス先情報を用いてデータ放送コンテンツの一部の取得が要求され、当該データ放送コンテンツの一部を含むデータ放送コンテンツが表示されることから、１セグメント放送に含まれるデータ放送コンテンツと共に、通信ネットワーク経由で取得したデータ放送コンテンツの一部を表示することができるので、当該データ放送コンテンツの一部にユーザの属性情報を反映させることにより、ユーザ毎に異なる有用な情報を含むデータ放送コンテンツを提供することが可能となる。
【００１９】
上記端末装置において、前記コンテンツ取得部は、前記ＢＭＬデータ内に前記制御情報を検出した場合に前記データ放送コンテンツの一部の取得を要求することが好ましい。この場合には、ＢＭＬデータ内に制御情報が検出された場合に限って通信ネットワーク経由でデータ放送コンテンツの一部を取得することができるので、受信したＢＭＬデータの内容に応じてデータ放送コンテンツの表示を切り替えることが可能となる。
【００２０】
本発明のコンテンツ提供方法は、地上波デジタル放送の１セグメント放送に含まれるデータ放送コンテンツの一部を通信ネットワーク経由で提供するコンテンツ提供方法であって、前記通信ネットワーク経由で前記データ放送コンテンツの一部を端末装置で自動的に取得させるための制御情報を含むＢＭＬデータを放送装置から送出するステップと、前記制御情報で指定されるアクセス先情報を用いて前記端末装置から前記データ放送コンテンツの一部の取得をサーバ装置に要求するステップと、前記サーバ装置で予め登録された前記端末装置のユーザの属性情報に基づいて前記データ放送コンテンツの一部を前記端末装置に配信するステップとを具備することを特徴とする。
【００２１】
上記方法によれば、放送装置から送出されたＢＭＬデータに含まれる制御情報に基づいて端末装置からデータ放送コンテンツの一部の取得を要求し、サーバ装置から端末装置のユーザの属性情報に基づくデータ放送コンテンツの一部が配信されることから、端末装置でユーザの属性情報に基づくデータ放送コンテンツを一部に含むデータ放送コンテンツを表示することができるので、ユーザ毎に異なる有用な情報を含むデータ放送コンテンツを提供することが可能となる。
【００２２】
上記コンテンツ提供方法においては、前記データ放送コンテンツの一部の取得要求時に前記端末装置から送信されるユーザ識別情報に応じて当該ユーザの属性情報を特定し、当該属性情報から当該ユーザの属性を判定し、配信する前記データ放送コンテンツの一部を決定することが好ましい。この場合には、端末装置から送信されるユーザ識別情報に応じて当該ユーザの属性情報が特定されるので、簡単且つ確実に当該ユーザの属性を判定することができ、ユーザにとって有用な情報を含むデータ放送コンテンツを決定することが可能となる。
【００２３】
例えば、上記コンテンツ提供方法においては、前記属性情報として、前記端末装置のユーザの性別、年齢及び住所の少なくとも１つを含む個人情報を登録する。この場合には、端末装置のユーザに関する個人情報に基づいてユーザの性別や年齢等を反映した、ユーザにとって有用な情報を含むデータ放送コンテンツを配信することが可能となる。
【００２４】
上記コンテンツ提供方法においては、前記属性情報として、前記端末装置のユーザのＷｅｂサイトに対するアクセス履歴情報を登録するようにして良い。この場合には、端末装置のユーザのＷｅｂサイトに対するアクセス履歴情報に基づいてユーザの趣味や嗜好等を反映した、ユーザにとって有用な情報を含むデータ放送コンテンツを配信することが可能となる。
【００２５】
また、上記コンテンツ提供方法においては、前記ＢＭＬデータ内に前記制御情報を検出した場合に前記端末装置から前記データ放送コンテンツの一部の取得を前記サーバ装置に要求する一方、当該サーバ装置から配信された前記データ放送コンテンツの一部を含むデータ放送コンテンツを表示することが好ましい。この場合には、ＢＭＬデータ内に制御情報が検出された場合に限ってサーバ装置から配信されたデータ放送コンテンツの一部を含むデータ放送コンテンツを表示することができるので、放送装置からのＢＭＬデータの内容に応じてデータ放送コンテンツの表示を切り替えることが可能となる。
【発明の効果】
【００２６】
本発明によれば、放送装置から送出されたＢＭＬデータに含まれる制御情報に基づいて端末装置からデータ放送コンテンツの一部の取得を要求し、サーバ装置から端末装置のユーザの属性情報に基づくデータ放送コンテンツの一部が配信されることから、端末装置でユーザの属性情報に基づくデータ放送コンテンツを一部に含むデータ放送コンテンツを表示することができるので、ユーザ毎に異なる有用な情報を含むデータ放送コンテンツを提供することが可能となる。
【発明を実施するための最良の形態】
【００２７】
以下、本発明の実施の形態について添付図面を参照して詳細に説明する。本実施の形態に係るコンテンツ提供システムは、地上波デジタル放送の１セグメント放送に含まれるデータ放送コンテンツの一部を通信ネットワーク経由で提供するものである。なお、以下においては、本発明をコンテンツ提供システムに具現化した場合について説明するが、これに限定されるものではなく、データ放送コンテンツサーバ装置（サーバ装置）、携帯端末装置（端末装置）及びコンテンツ提供方法に関する発明としても成立するものである。
【００２８】
図１は、本発明の一実施の形態に係るコンテンツ提供システム１の構成を説明するための図である。なお、図１に示すコンテンツ提供システム１における放送装置１０及びデータ放送コンテンツサーバ装置３０は、本発明を説明するために簡略化したものであり、通常の放送装置及びデータ放送コンテンツサーバ装置に備えられる機能を有するものとする。
【００２９】
図１に示すように、本実施の形態に係るコンテンツ提供システム１は、地上波デジタル放送を送出する放送局に備えられる放送装置１０と、地上波デジタル放送の１セグメント放送受信機能を有する携帯端末装置（以下、「携帯端末」という）２０と、携帯端末２０からの取得要求に応じてデータ放送コンテンツの一部を配信するデータ放送コンテンツサーバ装置（以下、「サーバ」という）３０とを含んで構成される。
【００３０】
放送装置１０は、１セグメント放送に含まれる映像コンテンツを蓄積する映像コンテンツデータベース（以下、「映像ＤＢ」という）１１と、１セグメント放送に含まれるデータ放送コンテンツを蓄積するデータ放送コンテンツデータベース（以下、「データ放送ＤＢ」という）１２と、これらの映像ＤＢ１１及びデータ放送ＤＢ１２から映像コンテンツ及びデータ放送コンテンツを取得し、多重化部１４に出力するコンテンツ制御部１３と、コンテンツ制御部１３から出力された映像コンテンツ及びデータ放送コンテンツを多重化して放送波に乗せて送出する多重化部１４とを備えている。
【００３１】
データ放送ＤＢ１２に蓄積されるデータ放送コンテンツは、ＢＭＬ（Broadcast Markup Language）というコンテンツ記述言語で製作されている。特に、データ放送ＤＢ１２においては、通信ネットワーク経由で携帯端末２０にデータ放送コンテンツの一部を自動的に取得させるためのタグ情報（制御情報）を含むＢＭＬデータが蓄積されている。なお、このようなタグ情報を含むＢＭＬデータについては後述する。
【００３２】
コンテンツ制御部１３は、予め設定された、１セグメント放送に含まれるデータ放送コンテンツの更新タイミングに応じてデータ放送ＤＢ１２から更新対象とされるデータ放送コンテンツを取得し、予め取得し、或いは、当該データ放送コンテンツと同時に取得した映像コンテンツと一緒に多重化部１４に対して出力する。
【００３３】
多重化部１４から送出された放送波は、電波塔４０を介して、携帯端末２０で受信可能となっている。携帯端末２０においては、ユーザからの操作入力に応じて１セグメント放送受信機能を起動し、放送装置１０から送出された１セグメント放送を受信することができ、例えば、表示部に図１０（ａ）に示す映像コンテンツ及びデータ放送コンテンツを表示する。
【００３４】
サーバ３０は、携帯端末２０で表示されるデータ放送コンテンツの一部に対応するコンテンツ（以下、適宜「補助データ放送コンテンツ」という）が蓄積される補助データ放送コンテンツデータベース（以下、「補助データ放送ＤＢ」という）３１と、携帯端末２０のユーザの属性情報が予め蓄積される属性情報データベース（以下、「属性ＤＢ」という）３２と、携帯端末２０のユーザの属性を判定する属性判定部３３と、属性判定部３３の判定結果に対応する補助データ放送コンテンツを携帯端末２０に配信するサーバ部３４とを備えている。なお、補助データ放送ＤＢ３１に蓄積される補助データ放送コンテンツは、通常のデータ放送コンテンツと同様にＢＭＬで製作されている。
【００３５】
属性判定部３３は、携帯端末２０からの補助データ放送コンテンツの取得要求に応じて、属性ＤＢ３２に蓄積された属性情報を用いて携帯端末２０のユーザの属性を判定する。ここで、ユーザの属性とは、当該ユーザの趣味や嗜好等に対応する性質や特徴をいう。ユーザに対応する属性情報を特定する際には、補助データ放送コンテンツの取得要求時に携帯端末２０から送信されるユーザＩＤ（ユーザ識別情報）に応じた属性情報を選択する。なお、属性判定部３３におけるユーザの属性を判定する手法については、特に限定されるものではない。例えば、携帯端末２０からのアクセス履歴情報から最も興味のある業界を判定することや、ユーザの住所から該当地域に対応する店舗を判定することが考えられる。
【００３６】
サーバ部３４は、携帯端末２０からの補助データ放送コンテンツの取得要求を受けると、属性判定部３３に携帯端末２０のユーザの属性判定を指示する。そして、属性判定部３３の判定結果に基づいて該当する補助データ放送コンテンツを補助データ放送ＤＢ３１から取得し、携帯端末２０に送信する。
【００３７】
サーバ部２３から送出された補助データ放送コンテンツは、例えば、携帯電話網及びインターネットを含む通信ネットワーク５０を介して携帯端末２０に送出される。詳細について後述するように、携帯端末２０においては、ユーザの操作入力に応じてデータ放送ブラウザ機能を起動し、サーバ３０から送出された補助データ放送コンテンツを受信することができ、例えば、表示部に図１０（ｂ）に示す映像コンテンツ及びデータ放送コンテンツを表示する。
【００３８】
ここで、属性ＤＢ３２に蓄積される属性情報について説明する。図２は、本実施の形態に係るコンテンツ提供システム１が有するサーバ３０の属性ＤＢ３２に蓄積される属性情報の一例を説明するための図である。図２に示すように、属性ＤＢ３２には、携帯端末２０のユーザのユーザＩＤ３２１に対応づけて当該ユーザの個人情報３２２及びＷｅｂサイトへのアクセス履歴情報３２３が登録されている。なお、図２においては、ユーザＩＤとして携帯端末２０の電話番号が登録され、個人情報としてユーザの性別、年齢及び住所が登録された場合について示している。
【００３９】
図２においては、例えば、「０９０−ＡＡＡＡ−ＢＢＢＢ」のユーザＩＤ３２１に、「東京」に住む「３７」歳の「男性」の個人情報３２２と、「ｂｂｂ−ａｕｔｏｍｏｂｉｌｅ．ｃｏｍ」、「ａａａ−ａｕｔｏｍｏｂｉｌｅ．ｃｏｍ」、「ｂｂｂ−ａｕｔｏｍｏｂｉｌｅ．ｃｏｍ」・・・「ｃｃｃ−ａｕｔｏｍｏｂｉｌｅ．ｃｏｍ」のアクセス履歴情報３２３とが対応づけて登録されている。例えば、ユーザＩＤ３２１及び個人情報３２２は、携帯端末２０の購入時等に登録され、アクセス履歴情報３２３は、当該ＵＲＬに対応するＷｅｂサイトへアクセスした際に登録される。
【００４０】
図３は、本実施の形態に係るコンテンツ提供システム１が有する携帯端末２０の構成を示すブロック図である。なお、図３に示す携帯端末２０は、本発明を説明するために簡略化したものであり、通常の携帯端末に備えられる機能を有するものとする。
【００４１】
図３に示すように、携帯端末２０は、装置全体の制御を行う制御部２１と、放送局から送出される地上波デジタル放送の１セグメント放送を受信する放送受信部２２と、１セグメント放送に含まれるデータ放送コンテンツを表示するためのデータ放送ブラウザ部２３と、１セグメント放送で受信した映像コンテンツ及びデータ放送コンテンツを表示する表示部２４とを備えている。なお、表示部２４には、携帯端末２０の状態やユーザからの指示を受け付ける指示入力画面も表示される。
【００４２】
データ放送ブラウザ部２３は、データ放送コンテンツを構成するＢＭＬデータの内容を解釈するＢＭＬデータ解釈部２３１と、ＢＭＬデータ内に補助データ放送コンテンツを取得させるためのタグ情報（以下、適宜「コンテンツ取得タグ」という）を検出した場合に、サーバ３０から補助データ放送コンテンツを取得するコンテンツ取得部２３２とを有している。詳細について後述するように、サーバ３０から取得された補助データ放送コンテンツは、放送受信部２２で受信したデータ放送コンテンツの一部として表示部２４に表示されることとなる。
【００４３】
ここで、放送装置１０が有するデータ放送ＤＢ１２に蓄積されるＢＭＬデータの構成について説明する。図４及び図５は、データ放送ＤＢ１２に蓄積されるＢＭＬデータの構成を説明するための図である。なお、ここでは、通常のＢＭＬデータと、コンテンツ取得タグを含むＢＭＬデータとの比較において説明する。図４は、通常のＢＭＬデータの一例を示し、図５は、コンテンツ取得タグを含むＢＭＬデータの一例を示している。なお、ここでは、特に、ＢＭＬデータにおける本発明と関連する部分について説明し、既知の部分についての説明は省略する。
【００４４】
図４に示すＢＭＬデータは、携帯端末２０の表示部２４におけるデータ放送コンテンツの表示領域（一般的に下方側の表示領域）の一部に「ＡＡＡビール」の画像データ（例えば、社名等を含む広告画像データ）を表示させるためのものである。このＢＭＬデータにおいては、図４に示す矢印Ａで示すタグ＜ｏｂｊｅｃｔ  ｄａｔａ＝”ａａａ−ｂｅｅｒ．ｊｐｅｇ”  ｔｙｐｅ＝”ｉｍａｇｅ／ｊｐｅｇ”／＞により、「ＡＡＡビール」の画像データが指定されている。例えば、このＢＭＬデータに対応するデータ放送コンテンツが放送装置１０から送出されたとすると、携帯端末２０の表示部には、図１０（ａ）に示すデータ放送コンテンツが表示される。
【００４５】
一方、図５に示すＢＭＬデータは、携帯端末２０の表示画面におけるデータ放送コンテンツの表示領域の一部に、通信ネットワーク経由で取得した画像データを表示させるためのものである。このＢＭＬデータにおいては、図５に示す矢印Ｂで示すタグ＜ｏｂｊｅｃｔ  ｄａｔａ＝”ｈｔｔｐ：／／ｗｗｗ．ｔｖ−ｘｘｘ．ｃｏ．ｊｐ／ｉｍａｇｅ．ａｓｐ”  ｔｙｐｅ＝”ｏｕｔｓｉｄｅ／ｉｍａｇｅ／ｊｐｅｇ”／＞により、通信ネットワーク経由で取得した画像データが指定されている。すなわち、このタグがコンテンツ取得タグである。このコンテンツ取得タグには、アクセス先情報としてＵＲＬが含まれている。例えば、このＢＭＬデータに対応するデータ放送コンテンツが送出され、通信ネットワーク経由で該当する画像データを取得した場合、携帯端末２０の表示部には、図１０（ｂ）に示すデータ放送コンテンツが表示される。
【００４６】
このような構成を有し、本実施の形態に係るコンテンツ提供システム１は、地上波デジタル放送の１セグメント放送に含まれるデータ放送コンテンツの一部を通信ネットワーク５０経由で携帯端末２０に自動的に取得させることにより、当該携帯端末２０のユーザの属性に応じた補助データ放送コンテンツを提供するものである。これにより、ユーザ毎に異なる有用な情報を含むデータ放送コンテンツを提供することが可能となる。
【００４７】
以下、本実施の形態に係るコンテンツ提供システム１において、地上波デジタル放送の１セグメント放送に含まれるデータ放送コンテンツの一部を通信ネットワーク５０経由で携帯端末２０によって取得し、当該補助データ放送コンテンツを含むデータ放送コンテンツを表示する場合の動作について説明する。図６は、本実施の形態に係るコンテンツ提供システム１において、地上波デジタル放送の１セグメント放送に含まれるデータ放送コンテンツの一部を通信ネットワーク５０経由で携帯端末２０によって取得し、当該補助データ放送コンテンツを含むデータ放送コンテンツを表示する場合の動作を説明するためのシーケンス図である。
【００４８】
本実施の形態に係るコンテンツ提供システム１においては、コンテンツ制御部１３が１セグメント放送に含まれるデータ放送コンテンツの更新タイミングを監視しており、更新タイミングとなると、図６に示すように、コンテンツ制御部１３が映像ＤＢ１１から映像コンテンツを取得すると共に（ステップ（以下、「ＳＴ」という）６０１）、データ放送ＤＢ１２からデータ放送コンテンツを取得する（ＳＴ６０２）。取得された映像コンテンツ及びデータ放送コンテンツは、コンテンツ制御部１３から多重化部１４に出力される（ＳＴ６０３）。映像コンテンツ及びデータ放送コンテンツを受信すると、多重化部１４において、これらのコンテンツの多重化が行われ（ＳＴ６０４）、当該多重化後のコンテンツが放送波に乗せて送出される（ＳＴ６０５）。
【００４９】
携帯端末２０で１セグメント放送受信機能が起動され、放送装置１０から送出された１セグメント放送を受信すると、当該放送に含まれるデータ放送コンテンツのＢＭＬデータがＢＭＬデータ解釈部２３１で解釈される（ＳＴ６０６）。ＢＭＬデータ内にコンテンツ取得タグが検出されると、コンテンツ取得部２３２からサーバ３０に対して補助データ放送コンテンツの取得要求が出力される（ＳＴ６０７）。
【００５０】
補助データ放送コンテンツの取得要求を受け取ると、当該取得要求に含まれるヘッダ情報がサーバ部３４から属性判定部３３に通知される（ＳＴ６０８）。ヘッダ情報を受け取ると、属性判定部３３から属性ＤＢ３２に対して属性情報の取得要求が出力される（ＳＴ６０９）。なお、この属性情報の取得要求には、ヘッダ情報に含まれている、携帯端末２０のユーザのユーザＩＤが含まれている。属性情報の取得要求を受け取ると、属性ＤＢ３２において、これに含まれるユーザＩＤに対応づけられる属性情報が検索され、属性判定部３３に出力される（ＳＴ６１０）。属性情報を受け取ると、属性判定部３３により当該ユーザの属性が判定される（ＳＴ６１１）。
【００５１】
例えば、属性情報として、図２に示すユーザＩＤ「０９０−ＡＡＡＡ−ＢＢＢＢ」に対応づけられるアクセス履歴情報「ｂｂｂ−ａｕｔｏｍｏｂｉｌｅ．ｃｏｍ」、「ａａａ−ａｕｔｏｍｏｂｉｌｅ．ｃｏｍ」、「ｂｂｂ−ａｕｔｏｍｏｂｉｌｅ．ｃｏｍ」・・・「ｃｃｃ−ａｕｔｏｍｏｂｉｌｅ．ｃｏｍ」が出力されたとものとすると、属性判定部３３においては、自動車関連のＷｅｂサイトへのアクセスが多いことから、当該ユーザが自動車業界に興味があると判定される。また、属性情報として、図２に示すユーザＩＤ「０９０−ＣＣＣＣ−ＤＤＤＤ」に対応づけられるアクセス履歴情報「ｃｃｃ−ｄｅｎｋｉ．ｃｏｍ」、「ｄｄｄ−ｄｅｎｋｉ．ｃｏｍ」、「ｃｃｃ−ｄｅｎｋｉ．ｃｏｍ」・・・「ｃｃｃ−ｄｅｎｋｉ．ｃｏｍ」が出力されたとものとすると、属性判定部３３においては、電気関連のＷｅｂサイトへのアクセスが多いことから、当該ユーザが電気業界に興味があると判定される。このようにして得られた判定結果がサーバ部３４に出力される（ＳＴ６１２）。
【００５２】
属性判定部３３からユーザの属性の判定結果を受け取ると、サーバ部３４から該当する補助データ放送コンテンツの取得要求が出力される（ＳＴ６１３）。なお、この補助データ放送コンテンツの取得要求には、ユーザの属性の判定結果が含まれている。補助データ放送コンテンツの取得要求を受け取ると、補助データ放送ＤＢ３１において、これに含まれるユーザの属性の判定結果に対応する補助データ放送コンテンツが検索され、サーバ部３４に出力される（ＳＴ６１４）。例えば、上述の例の場合、補助データ放送コンテンツとして、自動車業界に関連する補助データ放送コンテンツ（例えば、自動車会社の広告に対応する補助データ放送コンテンツ）が出力される。
【００５３】
補助データ放送コンテンツを受け取ると、サーバ部３４から携帯端末２０に当該補助データ放送コンテンツが送信される（ＳＴ６１５）。補助データ放送コンテンツを受信すると、携帯端末２０において、ＳＴ６０５で放送装置１０から送出されたデータ放送コンテンツと共に表示部２４に表示される（ＳＴ６１６）。このような一連の動作により、地上波デジタル放送の１セグメント放送に含まれるデータ放送コンテンツの一部が通信ネットワーク５０経由で携帯端末２０により取得され、当該補助データ放送コンテンツを含むデータ放送コンテンツが表示されることとなる。
【００５４】
ここで、図６に示すシーケンスに従って処理を行う場合における放送装置１０、携帯端末２０及びサーバ３０の動作について説明する。図７は、図６に示すシーケンスに従って処理を行う場合の放送装置１０の動作について説明するためのフロー図である。図８は、図６に示すシーケンスに従って処理を行う場合における携帯端末２０の動作について説明するためのフロー図である。図９は、図６に示すシーケンスに従って処理を行う場合におけるサーバ３０の動作について説明するためのフロー図である。
【００５５】
まず、放送装置１０の動作について説明する。図７に示すように、放送装置１０において、コンテンツ制御部１３は、１セグメント放送に含まれるデータ放送コンテンツの更新タイミングを監視している（ＳＴ７０１）。データ放送コンテンツの更新タイミングと判定した場合には、映像ＤＢ１１から映像コンテンツを取得し（ＳＴ７０２）、データ放送ＤＢ１２からデータ放送コンテンツを取得する（ＳＴ７０３）。なお、データ放送コンテンツの更新タイミングになるまではこの監視動作を継続する。
【００５６】
データ放送コンテンツを取得したならば、コンテンツ制御部１３は、映像コンテンツ及びデータ放送コンテンツを多重化部１４に出力する（ＳＴ７０４）。映像コンテンツ及びデータ放送コンテンツを受信したならば、多重化部１４は、これらのコンテンツを多重化する（ＳＴ７０５）。そして、多重化後のコンテンツを放送波に乗せて送出する（ＳＴ７０６）。
【００５７】
このように１セグメント放送を送出した後、コンテンツ制御部１３は、放送が終了したかを判定する（ＳＴ７０７）。例えば、コンテンツ制御部１３は、放送開始からの経過時間を判定することにより、放送の終了を判定する。放送が終了していない場合には、コンテンツ制御部１３は、処理をＳＴ７０１に戻し、再びＳＴ７０７までの処理を行う。一方、放送が終了した場合には、処理を終了する。このようにして、地上波デジタル放送の１セグメント放送に含まれるデータ放送コンテンツの一部を通信ネットワーク５０経由で携帯端末２０で取得し、当該補助データ放送コンテンツを含むデータ放送コンテンツを表示する場合の放送装置１０の動作を終了する。
【００５８】
次に、携帯端末２０の動作について説明する。携帯端末２０においては、ユーザから１セグメント放送受信機能が起動された状態にあると、図８に示すように、放送装置１０からの１セグメント放送を受信するかを監視している（ＳＴ８０１）。１セグメント放送を受信した場合には、これに含まれるデータ放送コンテンツのＢＭＬデータをＢＭＬデータ解釈部２３１により解釈する（ＳＴ８０２）。なお、放送装置１０から１セグメント放送を受信するまでは監視動作を継続する。
【００５９】
ＢＭＬデータ解釈部２３１は、ＢＭＬデータ内にコンテンツ取得タグを検出するか判定する（ＳＴ８０３）。ここで、ＢＭＬデータ内にコンテンツ取得タグを検出した場合（例えば、図５に示すＢＭＬデータを受信した場合）、コンテンツ取得部２３２は、補助データ放送コンテンツの取得を要求する（ＳＴ８０４）。具体的には、コンテンツ取得部２３２は、コンテンツ取得タグ内に指定されたアクセス先情報としてのＵＲＬにアクセスすることで、補助データ放送コンテンツの取得を要求する。
【００６０】
そして、補助データ放送コンテンツの取得要求を出力した後、サーバ３０から補助データ放送コンテンツを受信したか判定する（ＳＴ８０５）。補助データ放送コンテンツを受信するまではこの判定動作が継続される。そして、補助データ放送コンテンツを受信した場合には、当該補助データ放送コンテンツを含んだデータ放送コンテンツを表示部２４に表示し（ＳＴ８０６）、処理を終了する。このようにして、地上波デジタル放送の１セグメント放送に含まれるデータ放送コンテンツの一部を通信ネットワーク５０経由で取得し、当該補助データ放送コンテンツを含むデータ放送コンテンツを表示する場合の携帯端末２０の動作を終了する。
【００６１】
なお、ＳＴ８０３において、ＢＭＬデータ内にコンテンツ取得タグを検出しない場合（例えば、図４に示すＢＭＬデータを受信した場合）には、既知のデータ放送コンテンツの表示態様のように、ＳＴ８０１で受信したデータ放送コンテンツを表示部２４に表示した後に処理を終了する。
【００６２】
次に、サーバ３０の動作について説明する。サーバ３０においては、図９に示すように、サーバ部３４により、常に携帯端末２０からの補助データ放送コンテンツの取得要求を受け付けるか監視している（ＳＴ９０１）。補助データ放送コンテンツの取得要求を受け付けた場合には、サーバ部３４は、当該取得要求に含まれるヘッダ情報を属性判定部３３に通知する（ＳＴ９０２）。この通知を受けると、属性判定部３３は、属性ＤＢ３２から、当該ヘッダ情報に含まれたユーザＩＤに対応する属性情報を取得する（ＳＴ９０３）。
【００６３】
そして、属性判定部３３は、取得した属性情報に基づいて携帯端末２０のユーザの属性を判定する（ＳＴ９０４）。例えば、ユーザの属性の判定は、上述したような手法で判定される。ここでは、上述した例のように、当該ユーザの属性として、自動車業界に興味があると判定されるものとする。属性判定部３３は、この判定結果をサーバ部３４に出力する。
【００６４】
属性判定部３３からユーザの属性の判定結果を受け取ると、サーバ部３４は、この判定結果に応じた補助データ放送コンテンツを補助データ放送ＤＢ３１から取得する（ＳＴ９０５）。ここで、取得された補助データ放送コンテンツは、携帯端末２０のユーザの属性を反映した情報を含んでいる。そして、サーバ部３４は、この取得した補助データ放送コンテンツを携帯端末２０に送信し（ＳＴ９０６）、処理を終了する。このようにして、地上波デジタル放送の１セグメント放送に含まれるデータ放送コンテンツの一部を通信ネットワーク５０経由で携帯端末２０で取得し、当該補助データ放送コンテンツを含むデータ放送コンテンツを表示する場合のサーバ３０の動作を終了する。
【００６５】
ここで、本実施の形態に係るコンテンツ提供システム１から提供されるデータ放送コンテンツの具体例について説明する。図１０は、本実施の形態に係るコンテンツ提供システム１から提供されるデータ放送コンテンツの具体例について説明するための図である。なお、図１０（ａ）においては、図４に示す既知のＢＭＬデータで構成されたデータ放送コンテンツの一例を示し、図１０（ｂ）においては、図５に示すコンテンツ取得タグを含むＢＭＬデータで構成されたデータ放送コンテンツの一例を示している。なお、図１０においては、サッカーの試合中継が携帯端末２０の表示部２４の映像表示領域２４１に表示された場合について示している。
【００６６】
図１０（ａ）に示すように、図４に示すＢＭＬデータで構成されるデータ放送コンテンツを携帯端末２０で受信した場合、表示部２４のデータ放送表示領域２４２の上部領域２４２ａに「ＡＡＡビール」の広告画像に応じたデータ放送コンテンツが表示され、データ放送表示領域２４２の下部領域２４２ｂにサッカーの途中経過に応じたデータ放送コンテンツが表示されている。
【００６７】
図５に示すＢＭＬデータは、図４に示すＢＭＬデータで構成されるデータ放送コンテンツのうち、「ＡＡＡビール」の広告画像の部分に、ユーザの属性に応じた補助データ放送コンテンツを表示させるための記述とされている。なお、以下においては、サーバ３０の属性ＤＢ３２に図２に示す属性情報が登録されているものとし、携帯端末２０のユーザＩＤが図２に示す「０９０−ＡＡＡＡ−ＢＢＢＢ」であるものとする。
【００６８】
図１０（ｂ）に示すように、図５に示すＢＭＬデータで構成されるデータ放送コンテンツを携帯端末２０で受信した場合、表示部２４のデータ放送表示領域２４２の上部領域２４２ａに携帯端末２０のユーザの属性に応じたデータ放送コンテンツが表示される。すなわち、図１０（ｂ）においては、携帯端末２０のユーザは、図２に示すように、アクセス履歴情報３２３から自動車業界に興味があると判定され、自動車業界に関連する「ＢＢＢ自動車」の広告画像に応じたデータ放送コンテンツが表示された場合について示している。
【００６９】
このように本実施の形態に係るコンテンツ提供システム１によれば、放送装置１０から送出されたＢＭＬデータに含まれる制御情報（コンテンツ取得タグ）に基づいて携帯端末２０からデータ放送コンテンツの一部（補助データ放送コンテンツ）の取得を要求し、サーバ３０から携帯端末２０のユーザの属性情報に基づくデータ放送コンテンツの一部（補助データ放送コンテンツ）が配信されることから、携帯端末２０でユーザの属性情報に基づくデータ放送コンテンツを一部（補助データ放送コンテンツ）に含むデータ放送コンテンツを表示することができるので、ユーザ毎に異なる有用な情報を含むデータ放送コンテンツを提供することが可能となる。
【００７０】
また、本実施の形態に係るコンテンツ提供システム１においては、サーバ３０が、データ放送コンテンツの一部（補助データ放送コンテンツ）の取得要求時に携帯端末２０から送信されるユーザＩＤに応じて当該ユーザの属性情報を特定し、当該属性情報から当該ユーザの属性を判定し、配信するデータ放送コンテンツの一部（補助データ放送コンテンツ）を決定する。これにより、携帯端末２０から送信されるユーザＩＤに応じて当該ユーザの属性情報が特定されるので、簡単且つ確実に当該ユーザの属性を判定することができ、ユーザにとって有用な情報を含むデータ放送コンテンツを決定することが可能となる。
【００７１】
さらに、本実施の形態に係るコンテンツ提供システム１において、サーバ３０は、図２に示すように、属性ＤＢ３２に登録される属性情報として、携帯端末２０のユーザのＷｅｂサイトに対するアクセス履歴情報３２３を登録している。これにより、携帯端末２０のユーザのＷｅｂサイトに対するアクセス履歴情報３２３に基づいてユーザの趣味や嗜好等を反映した、ユーザにとって有用な情報を含むデータ放送コンテンツを配信することが可能となる。
【００７２】
なお、上記実施の形態においては、属性ＤＢ３２に登録されたアクセス履歴情報３２２を用いて携帯端末２０のユーザの属性を判定する場合の一例について示しているが、ユーザの属性の判定手法については、これに限定されるものではない。例えば、図２に示す個人情報３２１を用いてユーザの属性を判定しても良い。この場合には、携帯端末２０のユーザに関する個人情報３２１に基づいてユーザの性別や年齢等を反映した、ユーザにとって有用な情報を含むデータ放送コンテンツを配信することが可能となる。勿論、個人情報３２１と、アクセス履歴情報３２２とを組み合わせて属性判定に用いても良い。
【００７３】
また、図２に示す属性情報としての登録内容は一例を示したものであり、属性情報の内容については適宜変更が可能である。特に、携帯端末２０のユーザにとって有用な情報を追加して登録することは実施の形態として好ましい。例えば、当該ユーザの契約年数や利用頻度等に応じた蓄積ポイントや特定の放送番組の視聴回数、並びに、当該ユーザに推薦する放送番組等の情報を登録しておき、当該ユーザの属性の判定結果に応じてこれらの携帯端末２０に表示させる場合には、ユーザにとってより有用な情報を含んだデータ放送コンテンツを提供することが可能となる。
【００７４】
さらに、本実施の形態に係るコンテンツ提供システム１において、携帯端末２０は、放送装置１０からのＢＭＬデータ内に制御情報（コンテンツ取得タグ）を検出した場合にデータ放送コンテンツの一部（補助データ放送コンテンツ）の取得をサーバ３０に要求する一方、サーバ３０から配信されたデータ放送コンテンツの一部（補助データ放送コンテンツ）を含むデータ放送コンテンツを表示する。これにより、ＢＭＬデータ内に制御情報（コンテンツ取得タグ）が検出された場合に限ってサーバ３０から配信されたデータ放送コンテンツの一部（補助データ放送コンテンツ）を含むデータ放送コンテンツを表示することができるので、放送装置１０からのＢＭＬデータの内容に応じてデータ放送コンテンツの表示を切り替えることが可能となる。
【００７５】
なお、本発明は上記実施の形態に限定されず、種々変更して実施することが可能である。例えば、上記実施の形態における携帯端末２０のユーザの属性の判定手法やサーバ３０に登録された属性情報は一例であり、これに限定されず、適宜変更して実施することが可能である。また、本発明の範囲を逸脱しない限りにおいて、処理部や処理手順については適宜変更して実施することが可能である。その他、本発明の範囲を逸脱しないで適宜変更して実施することが可能である。
【００７６】
例えば、上記実施の形態に係るコンテンツ提供システム１においては、サーバ３０が放送局の管理下に配置しない構成について説明しているが、コンテンツ提供システム１の構成については、これに限定されるものではなく適宜変更が可能である。例えば、サーバ３０を放送局の管理下に配置するようにしても良い。この場合においても、上記実施の形態と同様の効果を得ることが可能である。
【図面の簡単な説明】
【００７７】
【図１】本発明の一実施の形態に係るコンテンツ提供システムの構成を説明するための図である。
【図２】上記実施の形態に係るコンテンツ提供システムが有するサーバの属性ＤＢに蓄積される属性情報の一例を説明するための図である。
【図３】上記実施の形態に係るコンテンツ提供システムが有する携帯端末の構成を示すブロック図である。
【図４】上記実施の形態に係るコンテンツ提供システムが有するサーバのデータ放送ＤＢに蓄積されるＢＭＬデータの構成を説明するための図である。
【図５】上記実施の形態に係るコンテンツ提供システムが有するサーバのデータ放送ＤＢに蓄積されるＢＭＬデータの構成を説明するための図である。
【図６】上記実施の形態に係るコンテンツ提供システムにおいて、１セグメント放送に含まれるデータ放送コンテンツの一部を携帯端末で取得し、当該補助データ放送コンテンツを表示する場合の動作を説明するためのシーケンス図である。
【図７】図６に示すシーケンスに従って処理を行う場合の放送装置の動作について説明するためのフロー図である。
【図８】図６に示すシーケンスに従って処理を行う場合における携帯端末の動作について説明するためのフロー図である。
【図９】図６に示すシーケンスに従って処理を行う場合におけるサーバの動作について説明するためのフロー図である。
【図１０】上記実施の形態に係るコンテンツ提供システムから提供されるデータ放送コンテンツの具体例について説明するための図である。
【符号の説明】
【００７８】
１  コンテンツ提供システム
１０  放送装置
１１  映像コンテンツデータベース（映像ＤＢ）
１２  データ放送コンテンツデータベース（データ放送ＤＢ）
１３  コンテンツ制御部
１４  多重化部
２０  携帯端末装置（携帯端末）
２１  制御部
２２  放送受信部
２３  データ放送ブラウザ部
２３１  ＢＭＬデータ解釈部
２３２  コンテンツ取得部
２４  表示部
３０  データ放送コンテンツサーバ装置（サーバ）
３１  補助データ放送コンテンツデータベース（補助データ放送ＤＢ）
３２  属性情報データベース（属性ＤＢ）
３３  属性判定部
３４  サーバ部
４０  電波塔
５０  通信ネットワーク
【図１】
2009200961.tif 000003
【図２】
2009200961.tif 000004
【図３】
2009200961.tif 000005
【図４】
2009200961.tif 000006
【図５】
2009200961.tif 000007
【図６】
2009200961.tif 000008
【図７】
2009200961.tif 000009
【図８】
2009200961.tif 000010
【図９】
2009200961.tif 000011
【図１０】
2009200961.tif 000012